(57)【要約】【課題】この発明は照明装置による照明範囲を容易に変更することができるようにしたヘッドボード装置を提供することにある。【解決手段】ベッドフレームの長手方向一端に設置されるヘッドボード装置において、装置本体５と、この装置本体に設けられ装置本体の前面に開口する開口部１２を有する照明部１５と、この照明部内に設けられた照明装置１６と、上記装置本体の上記開口部の上記照明装置と対向する部分に回動可能に設けられた照明制御部材２７と、この照明制御部材を上記開口部の上記照明装置と対向する部分を閉塞する状態と開放する状態との間の回動角度で保持するブラケット２８とを具備する。【選択図】    図２
2004165084.tif 000002
【特許請求の範囲】
【請求項１】
ベッドフレームの長手方向一端に設置されるヘッドボード装置において、
装置本体と、
この装置本体に設けられ装置本体の前面に開口する開口部を有する照明部と、
この照明部内に設けられた照明装置と、
上記装置本体の上記開口部の上記照明装置と対向する部分に回動可能に設けられた照明制御部材と、
この照明制御部材を上記開口部の上記照明装置と対向する部分を閉塞する状態と開放する状態との間の回動角度で保持する保持手段と
を具備したことを特徴とするヘッドボード装置。
【請求項２】
上記保持手段は、上記照明制御部材の幅方向両端に一辺が固定され他辺が上記装置本体の上記照明部を区画形成する仕切り部材に回動可能に連結されたＬ字状のブラケットと、上記仕切り部材に弾性的に突没可能に設けられ上記照明制御部材を上記ブラケットとともに回動させることでこのブラケットに形成された係止孔に弾性的に係合する係合部材とを備えていることを特徴とする請求項１記載のヘッドボード装置。
【請求項３】
上記保持手段は、上記照明制御部材の幅方向両端に一辺が固定されたブラケットと、このブラケットの他辺を上記装置本体の上記照明部を区画形成する仕切り部材に回動可能かつ任意の回動角度で保持可能に連結したねじ軸とを備えていることを特徴とする請求項１又は請求項２記載のヘッドボード装置。
【発明の詳細な説明】
【０００１】
【発明の属する技術分野】
この発明はベッドフレームの長手方向一端に設けられる照明装置を備えたヘッドボード装置に関する。
【０００２】
【従来の技術】
一般にベッド装置はベッドフレームを有し、このベッドフレームの上面にはマットレスが載置される。このようなベッド装置において、上記ベッドフレームの長手方向一端にはキャビネットタイプのヘッドボード装置が設けられることがある。
【０００３】
この種のヘッドボード装置においては、特許文献１に示すように、ヘッドボード装置の箱形状に形成された装置本体の上記マットレスの上面から上方に突出した部分に照明装置を設けたものがある。
【０００４】
【特許文献１】
実開昭５９−３４２９号公報
この特許文献１においては、ベッドの縁板（ヘッドボード）の上部に発光体を内装する冠材を装着する。この冠材は、上記縁板上をベッドの内方側へ摺動できるようになっている。そして、夜間、ベッドで読書をする場合などには上記冠材をベッドの本体上に引き出して照明装置を点灯すれば、上記冠材の内面で反射した照明光によって利用者の枕もとを照明できる。また、照明が不要な場合には上記冠材を縁板上に移動させれば、冠材が縁板と一体化するため、見栄えがよいというものである。
【０００５】
【発明が解決しようとする課題】
上記構成によれば、利用者が枕もとを照明したい場合には、上述したように冠材をベッド上に引き出すことで、この冠材の内面で反射した照明光によって枕もとを照明することができるため便利である。
【０００６】
しかしながら、上記冠材による照明は、照明光を冠材の内面で反射させるだけであるから、この冠材をベッド上に引き出して利用者の枕もとを照明するということだけにしか利用することができない。そのため、利用者がベッド上から降りて用を足すためなどに枕もと以外の部分を照明したい場合などには有効に利用できず、不便であった。
【０００７】
この発明は、利用者の枕もとだけでなく、枕もと以外の部分でも照明することができ、しかもその照明範囲の切換え操作を容易に行なうことができる照明装置を有するヘッドボード装置を提供することにある。
【０００８】
【課題を解決するための手段】
請求項１の発明は、ベッドフレームの長手方向一端に設置されるヘッドボード装置において、
装置本体と、
この装置本体に設けられ装置本体の前面に開口する開口部を有する照明部と、
この照明部内に設けられた照明装置と、
上記装置本体の上記開口部の上記照明装置と対向する部分に回動可能に設けられた照明制御部材と、
この照明制御部材を上記開口部の上記照明装置と対向する部分を閉塞する状態と開放する状態との間の回動角度で保持する保持手段と
を具備したことを特徴とするヘッドボード装置にある。
【０００９】
請求項２の発明は、上記保持手段は、上記照明制御部材の幅方向両端に一辺が固定され他辺が上記装置本体の上記照明部を区画形成する仕切り部材に回動可能に連結されたＬ字状のブラケットと、上記仕切り部材に弾性的に突没可能に設けられ上記照明制御部材を上記ブラケットとともに回動させることでこのブラケットに形成された係止孔に弾性的に係合する係合部材とを備えていることを特徴とする請求項１記載のヘッドボード装置にある。
【００１０】
請求項３の発明は、上記保持手段は、上記照明制御部材の幅方向両端に一辺が固定されたブラケットと、このブラケットの他辺を上記装置本体の上記照明部を区画形成する仕切り部材に回動可能かつ任意の回動角度で保持可能に連結したねじ軸とを備えていることを特徴とする請求項１又は請求項２記載のヘッドボード装置にある。
【００１１】
この発明によれば、照明装置と対向して設けられた照明制御部材を回動させることで、この照明装置からの照明光による照明範囲を利用者の枕もとから他の部分に変えることができる。
【００１２】
【発明の実施の形態】
以下、図面を参照しながらこの発明の一実施の形態を説明する。
【００１３】
図１に示すベッド装置１はベッドフレーム２を備えている。このベッドフレーム２は矩形枠状に形成されていて、上面にはマットレス３が載置され、長手方向一端にはキャビネットタイプのヘッドボード装置４が立設されている。
【００１４】
上記ヘッドボード装置４は箱形状に形成された装置本体５を有する。この装置本体５の上記マットレス３の上面よりも上方に突出した部分には収納部６が区画形成されている。この収納載置部６は装置本体５を形成する一対の側板７間に載置板８を架設し、この載置板８の上面と天板９の下面との間の空間部１１の前面を開口部１２とすることで形成されている。
【００１５】
図３に示すように上記天板９の下面には、この天板９の幅方向に所定の間隔で離間した一対の平板状の仕切り部材１４が設けられている。この仕切り部材１４の高さ寸法は、上記収納部６の高さ寸法よりも小さく設定されている。この実施の形態では収納部６の高さ寸法の半分よりも小さく設定されている。それによって、上記収納部６内に上記一対の仕切り部材１４によって照明部１５が区画形成されている。この照明部１５は前面及び下面が開口している。
【００１６】
上記照明部１５の上面、つまり上記天板９の内面には照明装置１６が設けられている。この照明装置１６はランプ１７及びこのランプを覆う透光性の材料によって形成されたカバー１８とからなる。図２に示すように、上記装置本体５を形成する背板１９には電気コード２１を通すガイドレール２２が設けられている。上記電気コード２１は上記ランプ１７と上記装置本体５の前面板２３に設けられたスイッチ２４とを接続している。それによって、上記スイッチ２４を操作することで上記ランプ１７を点灯させることができるようになっている。
【００１７】
上記照明部１５の前面には照明制御部材２７が設けられている。この照明制御部材２７は上記照明部１５とほぼ同じ幅寸法の帯板状をなしていて、その長手方向両端部の内面には図４に示すようにＬ字状のブラケット２８の一辺がねじ２９によって取付け固定されている。
【００１８】
図４に示すように上記ブラケット２８の他辺には、１つの取付け孔３１と、この取付け孔３１に対して等距離で、取付け孔３１を中心にして周方向に９０度の間隔の位置に一対の係止孔３２とが形成されている。上記取付け孔３１にはねじ軸３３が挿入され、このねじ軸３３は上記一対の仕切り部材１４の互いに対向する面に埋設されたナット部材３４にワッシャ３５を介して螺合されている。それによって、上記照明制御部材２７は上記ねじ軸３３を中心にして回動可能となっている。
【００１９】
図４と図５（ａ），（ｂ）に示すように上記一対の仕切り部材１４の内面には、上記照明制御部材２７をほぼ垂直に起立させたときに、上記ブラケット２８の他辺に形成された一対の係止孔３２に弾性的に係合する係合部材としての球体３７を有する玉しまり３８が埋設されている。この玉しまり３８は図４に示すように上記球体３７を上面開口から突出させた筒体３９及び球体３７を弾性的に付勢したばね４１とから構成されている。
【００２０】
それによって、上記照明制御部材２７は、図５（ａ）に示すようにほぼ垂直に起立して一対の係止孔３２が一対の玉しまり３８の球体３７に係合した回動位置と、図５（ｂ）に示すようにほぼ水平に倒伏して一方の係止孔３２が一方の玉しまり３８の球体３７に係合した回動位置とで保持されるようになっている。
【００２１】
照明制御部材２７がほぼ垂直に起立すると、上記照明部１５の前面開口、つまり開口部１２の照明装置１６に対向する部分、つまり照明部１５の前面開口が閉塞される。それによって、照明装置１６からの照明光は、図５（ａ）に矢印で示すように照明部１５の下端開口を通過してマットレス３の一端部上面、つまり利用者の枕もとを照明する。
【００２２】
上記照明制御部材２７がほぼ水平に倒伏していると、照明装置１６からの照明光は、図５（ｂ）に矢印で示すように大半がほぼ水平に倒伏した照明制御部材２７の上面（内面）で反射し、照明部１５の前面開口から上方に向かって出射する。それによって、照明装置１６は利用者の枕もとでなく、室内をほぼ全体的に照明することになる。なお、たとえば、照明制御部材２７の材料や内面に塗布する塗料を選択することで、その内面での照明光の反射率を制御することができる。
【００２３】
つまり、上記ブラケット２８と玉しまり３８とによって上記照明制御部材２７を所定の回動角度、この実施の形態ではほぼ垂直な状態と水平な状態とで保持する保持手段を形成することになる。
【００２４】
また、ブラケット２８の一辺を仕切り部材１４に回動可能に取り付けたねじ軸３３を閉めこむことで、上記ブラケット２８を、ワッシャ３５を介して玉しまり３８の筒体３９の端面に圧接させることができるから、その摩擦力によって上記ブラケット２８を任意の回動角度で保持することが可能となる。したがって、上記ねじ軸３３を、照明制御部材２７を任意の回動角度で保持する保持手段として利用することができる。
【００２５】
上記空間部１１の仕切り部材１４の外面側の部分には、それぞれ引き出し４１が出し入れ可能に設けられている。この引き出し４１には小物類を収納することができ、また空間部１１の載置板８上にも置き時計などの小物類を設置することができる。
【００２６】
このような構成のヘッドボード装置４によれば、利用者が読書をする際などに枕もとを照明したい場合には、図５（ａ）に示すように照明制御部材２７をほぼ垂直に起立させ、照明部１５の前面開口を閉塞する。その状態でスイッチ２４を操作して照明装置１６のランプ１７を点灯させる。それによって、照明装置１６からの照明光は照明制御部材２７の下端側の隙間、つまり照明部１５の下端開口を通って斜め下方へ出射するから、利用者の枕もとだけを照明することが可能となる。
【００２７】
利用者がマットレス３上から降りるような場合、ベッド装置１の周辺部を全体的に照明したいことがある。そのような場合には、上記照明制御部材２７を垂直に起立した状態から図５（ｂ）に示すようにほぼ水平に倒伏させる。それによって、照明装置１６からの照明光のほとんどは照明制御部材２７の上面で反射し、照明部１５の前面開口から上方に向かって出射するから、照明制御部材２７が垂直に起立している場合に比べて広い範囲を照明することができる。
【００２８】
上記照明制御部材２７による照明範囲の切換えは、この照明制御部材２７を所定の角度に回転させるだけでよい。そのため、利用者がマットレス３上で横たわった姿勢でも、上記照明制御部材２７の切換え操作（回動操作）を容易かつ迅速に行なうことができる。
【００２９】
上記照明制御部材２７は、ブラケット２８に形成された係止孔３２が玉しまり３８の球体３７に弾性的に係合することで、所定の回動角度で保持される。そのため、照明制御部材２７は、ほぼ垂直に起立した状態と、ほぼ水平に倒伏した状態とで確実に保持される。
【００３０】
しかも、ブラケット２８を仕切り部材１４に回動可能に取り付けたねじ軸３３の締め込み加減を調整し、ブラケット２８が自由に回動しない状態にすれば、上記球体３７と係止孔３２とを係合させなくとも、上記照明制御部材２７を任意の回動位置で保持することができる。それによって、照明装置１６からの照明光が照明部１５から出射したり、照明制御部材２７で反射する方向を任意に設定することができるから、この照明部材の回動角度によって設定される照明方向を無段階に調整できる。
【００３１】
【発明の効果】
以上のようにこの発明によれば、照明装置と対向して設けられた照明制御部材を回動させることで、この照明装置からの照明光による照明範囲を利用者の枕もとから他の部分に変えることができる。しかも、照明制御部材を回動させるだけでよいから、照明範囲の変更操作を容易に行なうことができる。
【図面の簡単な説明】
【図１】この発明の一実施の形態に係るベッド装置の斜視図。
【図２】ヘッドボード装置の縦断面図。
【図３】ヘッドボード装置の横断面図。
【図４】ブラケットによる仕切り部材と照明制御部材との連結構造の断面図。
【図５】（ａ）は照明制御部材をほぼ垂直に保持した状態の断面図、（ｂ）は同じくほぼ水平に保持した状態の断面図。
【符号の説明】
２…ベッドフレーム
４…ヘッドボード装置
５…装置本体
１２…開口部
１５…照明部
１６…照明装置
２７…照明制御部材
２８…ブラケット（保持手段）
３８…玉しまり（保持手段）
【図１】
2004165084.tif 000003
【図２】
2004165084.tif 000004
【図３】
2004165084.tif 000005
【図４】
2004165084.tif 000006
【図５】
2004165084.tif 000007